(57)【要約】【課題】楽器が落下することを抑制でき、かつ、軽量化を図ることができる楽器収容ケースを提供する。【解決手段】この楽器収容ケース１０は、一方向に長い楽器を収容するもので、幅広の上下面２１，２２と、幅狭の両側面２３，２４とで囲まれ、両端面２５，２６が閉塞されて、全体として筒状をなし、上面２１及び両側面２３，２４の長手方向途中部分から一方の端面２５近傍に至る部分が切り欠かれて開口部２７をなす本体ケース２０と、前記本体ケース２０の開口部２７に適合する形状をなし、前記本体ケース２０の上面２１の開口部２７の、前記端面２５から離れた方の縁部に、ヒンジ４０を介して回動可能に取付けられた蓋体３０とを備えている。【選択図】図１
2011191527.tif 000002
【特許請求の範囲】
【請求項１】
一方向に長い楽器を収容する楽器収容ケースであって、
幅広の上下面と、幅狭の両側面とで囲まれ、両端面が閉塞されて、全体として筒状をなし、上面及び両側面の長手方向途中部分から一方の端面近傍に至る部分が切り欠かれて開口部をなす本体ケースと、
前記本体ケースの開口部に適合する形状をなし、前記本体ケースの上面の開口部の、前記端面から離れた方の縁部に、ヒンジを介して回動可能に取付けられた蓋体とを備えていることを特徴とする楽器収容ケース。
【請求項２】
炭素繊維の織布で補強された樹脂で形成されている請求項１に記載の楽器収容ケース。
【請求項３】
前記開口部は、前記本体ケースの上面の長さ方向途中部分と一方の端面近傍とで幅方向に沿って伸びる部分と、前記本体ケースの両側面の高さ方向中間部で長さ方向に伸びる部分と、前記上面の幅方向に伸びる部分の両端と前記両側面の長さ方向に伸びる部分の両端とを結ぶ斜めに傾斜した部分とで囲まれており、該斜めに傾斜した部分は、前記長さ方向に伸びる部分の中央に向けて傾斜している請求項１又は２記載の楽器収容ケース。
【請求項４】
前記楽器が、本体部と、この本体部から延出されたネックと、前記本体部の表側に配置された駒部と、この駒部を介して前記本体部及び前記ネックの表側に張設された弦と、前記本体部のネックと反対側の端部にエンドピンを介して取付けられたあご当てとを有する擦弦楽器からなり、
前記本体ケースの前記開口部から離れた端面内周に、前記エンドピン近傍を支持する第１保持部が設けられ、前記本体ケースの、前記蓋体に対向する内面と、前記蓋体の内面とに、前記ネックを挟持する第２保持部が設けられ、前記楽器の塗装面が楽器収容ケース内面に接触する面積が、塗装面全体の１０％以下とされている請求項１〜３のいずれか１つに記載の楽器収容ケース。
【請求項５】
前記第２保持部は、前記蓋体の内面に取付けられた、前記楽器のネック背面側を押える第１押え部材と、前記本体ケースの内面に取付けられ、前記楽器のネック表側の指板が当接する第２押え部材とからなり、同指板が前記本体ケースの内面に対してほぼ平行に支持されるように構成されている請求項４記載の楽器収容ケース。
【請求項６】
前記第２保持部は、前記蓋体の内面に取付けられた、前記楽器のネック表面側を押える第１押え部材と、前記本体ケースの内面に取付けられ、前記楽器のネック背面側を支持する第２押え部材とからなり、前記楽器のネック表面側が、前記本体ケースの開口部側に配置されるように構成されている請求項４記載の楽器収容ケース。
【請求項７】
前記本体ケースの前記蓋体と対向する内面の、前記第１保持部と前記第２保持部との間には、前記擦弦楽器の駒部をケース内面に接触しないように配置させるための凹部が形成されている請求項５記載の楽器収容ケース。
【請求項８】
前記本体ケースの下面の前記開口部から離れた端面近傍に、該端面に向けて次第に高くなり、前記第１保持部に至る斜面が設けられている請求項４〜７のいずれか１つに記載の楽器収容ケース。
【請求項９】
前記蓋体を閉めるとき、前記第１押え部材が、前記楽器の本体部のエンドピンと反対側の縁部に背面側から当接して、該本体部を前記第１保持部に向けて押さえ付けるように構成されている請求項５〜７のいずれか１つに記載の楽器収容ケース。
【請求項１０】
前記本体ケースの前記蓋体と対向する内面の両側に、弓の両側位置を規制するガイド壁部と、弓を前記内面に着脱可能に固定する固定具とからなる弓保持部が設けられ、前記ガイド壁部の少なくとも１つは、内部が空洞になっていて、そこに部品が収納できるように構成されている請求項１〜９のいずれか１つに記載の楽器収容ケース。
【請求項１１】
前記本体ケースの一方の側面中央部に設けられた、楽器収容ケースを横向きにして把持するための取っ手と、本体ケースの長手方向に離れた２箇所、又は本体ケースと蓋体との長手方向に離れた２箇所に両端を固定された、本体ケースの長手方向を上下にして背負うための背負いバンドとを有している請求項１〜１０のいずれか１つに記載の楽器収容ケース。
【請求項１２】
前記本体ケースの長手方向の端面の角部に、弾性樹脂からなる保護層が形成されている請求項１〜１１のいずれか１つに記載の楽器収容ケース。
【発明の詳細な説明】
【技術分野】
【０００１】
本発明は、バイオリンやチェロ等の楽器を、狭い場所でも容易に出し入れすることができる楽器収容ケースに関する。
【背景技術】
【０００２】
従来、種々の楽器は所定のケースに収容されて持ち運びされている。楽器の中でも、弦が張られて一方向に長いバイオリンやチェロ等の楽器は、次のようなケースに収容されることが一般的である。
【０００３】
すなわち、楽器の長手方向に沿って伸びる縦長箱状の本体ケースと、該ケースの長手方向に沿った一側辺にヒンジを介して開閉可能に取付けられた蓋体とを有するケースが広く用いられている。そして、本体ケースに対して、蓋体を横方向に開くことにより、本体ケースが開口して楽器を出し入れできるようになっている。
【０００４】
上記の横開きのケースとして、例えば、下記特許文献１には、本体ケース（ケース本体）と蓋体とを備え、前記本体ケースは上方に開放する長方形の箱体に形成され、内部に前記弦楽器のボディを固定するボディ用仕切部材と弦楽器のネックを固定するネック用仕切部材を設けた弦楽器用ケースが開示されている。また、本体ケース及び蓋体との合わせ目には、本体ケースに対して蓋体を閉じた状態に保持するための、止め具（施錠装置）が設けられている。そして、前記止め具のロックを解除した後、本体ケースに対して蓋体を横方向に開いて、楽器が出し入れされるようになっている。
【先行技術文献】
【特許文献】
【０００５】
【特許文献１】特開２００４−６１８０２号公報
【発明の概要】
【発明が解決しようとする課題】
【０００６】
上記引用文献１に示すように、楽器を出し入れするケースには、本体ケースに対して蓋体を閉じた状態に保持する止め具が設けられている。しかしながら、この止め具をロックし忘れた状態でケースを持ち上げたり、或いは、止め具のロックが搬送途中で解除されたりした場合、本体ケースに対して蓋体が大きく横開きして、本体ケースから楽器が落下してしまう虞れがあった。
【０００７】
更に、上記ケースは、本体ケースに対して蓋体が大きく横開きし、本体ケースの開口部周縁に蓋体の周縁部が当接して閉じる構造となっている。しかし、本体ケース及び蓋体の、開閉して互いに当接する周壁部分は、比較的剛性が確保しにくいため、その部分の肉厚を厚くすることが多く、ケースの重量増加の原因となっていた。
【０００８】
したがって、本発明の目的は、楽器が落下することを抑制でき、かつ、軽量化を図ることができる楽器収容ケースを提供することにある。
【課題を解決するための手段】
【０００９】
上記目的を達成するため、本発明の楽器収容ケースは、一方向に長い楽器を収容する楽器収容ケースであって、幅広の上下面と、幅狭の両側面とで囲まれ、両端面が閉塞されて、全体として筒状をなし、上面及び両側面の長手方向途中部分から一方の端面近傍に至る部分が切り欠かれて開口部をなす本体ケースと、前記本体ケースの開口部に適合する形状をなし、前記本体ケースの上面の開口部の、前記端面から離れた方の縁部に、ヒンジを介して回動可能に取付けられた蓋体とを備えていることを特徴とする。
【００１０】
上記発明によれば、蓋体を開いて、本体ケースの開口部から楽器を出し入れすることができる。そして、蓋体を閉じて止め具を掛け忘れた状態でケースを持ち上げたり、止め具が搬送途中で外れたりしても、両端面が閉塞されていて全体として筒状をなす本体ケースに収容されているので、楽器が開口部から飛び出しにくく、楽器の落下を抑制することができる。
【００１１】
また、本体ケースが全体として筒状をなし、本体ケースの上面及び両側面の一部を開口させて蓋体で覆うようにしているので、下ケースと上ケースとを開閉させる従来の楽器収容ケースに比べて、比較的軽量でも剛性を維持しやすい構造となり、軽量化を図ることができる。
【００１２】
本発明の楽器収容ケースにおいては、炭素繊維の織布で補強された樹脂で形成されていることが好ましい。この態様によれば、軽量で剛性の高い楽器収容ケースを提供できる。
【００１３】
本発明の楽器収容ケースにおいては、前記開口部は、前記本体ケースの上面の長さ方向途中部分と一方の端面近傍とで幅方向に沿って伸びる部分と、前記本体ケースの両側面の高さ方向中間部で長さ方向に伸びる部分と、前記上面の幅方向に伸びる部分の両端と前記両側面の長さ方向に伸びる部分の両端とを結ぶ斜めに傾斜した部分とで囲まれており、該斜めに傾斜した部分は、前記長さ方向に伸びる部分の中央に向けて傾斜していることが好ましい。この態様によれば、本体ケースの開口部をできるだけ広くとると共に、斜めに傾斜した部分によって強度を維持することができる。
【００１４】
本発明の楽器収容ケースにおいては、前記楽器が、本体部と、この本体部から延出されたネックと、前記本体部の表側に配置された駒部と、この駒部を介して前記本体部及び前記ネックの表側に張設された弦と、前記本体部のネックと反対側の端部にエンドピンを介して取付けられたあご当てとを有する擦弦楽器からなり、前記本体ケースの前記開口部から離れた端面内周に、前記エンドピン近傍を支持する第１保持部が設けられ、前記本体ケースの、前記蓋体に対向する内面と、前記蓋体の内面とに、前記ネックを挟持する第２保持部が設けられ、前記楽器の塗装面が楽器収容ケース内面に接触する面積が、塗装面全体の１０％以下とされていることが好ましい。この態様によれば、楽器を、エンドピン近傍を支持する第１保持部と、ネックを挟持する第２保持部とで保持し、楽器の塗装面がケース内面にできるだけ接触しないようにしたので、塗装面に傷が付いたり、クッション材の付着痕が付いたりする不都合を回避できる。
【００１５】
本発明の楽器収容ケースの１つの態様においては、前記第２保持部は、前記蓋体の内面に取付けられた、前記楽器のネック背面側を押える第１押え部材と、前記本体ケースの内面に取付けられ、前記楽器のネック表側の指板が当接する第２押え部材とからなり、同指板が前記本体ケースの内面に対してほぼ平行に支持されるように構成されていることが好ましい。この態様によれば、第１押え部材でネック背面側（塗装されていない部分）を押えると共に、第２押え部材で指板（傷や痕が付きにくい材質からなる部分）を押えることにより、塗装面に触らずに保持することができる。また、指板が本体ケースの内面に対してほぼ平行に支持されるようにすることにより、無駄な空間を少なくして、ケース内に擦弦楽器を効率よく収容できると共に、より安定して保持することができる。
【００１６】
本発明の楽器収容ケースの別の態様においては、前記第２保持部は、前記蓋体の内面に取付けられた、前記楽器のネック表面側を押える第１押え部材と、前記本体ケースの内面に取付けられ、前記楽器のネック背面側を支持する第２押え部材とからなり、前記楽器のネック表面側が、前記本体ケースの開口部側に配置されるように構成されていることが好ましい。この態様によれば、第２押え部材でネック背面側が押えられると共に、第１押え部材でネック表面側が押えられて、楽器のネック表面側が、本体ケースの開口部側に配置されるように構成されていることにより、ケースに対する弦の位置を確認しやすくなるので、弦がケース内面等に接触しないように注意しながら、楽器をケース内に出し入れすることができる。
【００１７】
本発明の楽器収容ケースにおいては、前記本体ケースの前記蓋体と対向する内面の、前記第１保持部と前記第２保持部との間には、前記擦弦楽器の駒部をケース内面に接触しないように配置させるための凹部が形成されていることが好ましい。この態様によれば、第１保持部及び第２保持部間に、擦弦楽器の駒部をケース内面に接触しないように配置させるための凹部が形成されているので、ケースに擦弦楽器を出し入れするときに、駒部をケース内面に接触しにくくすることができると共に、ケース収容時に、駒部がケース内面に接触しないように保持することができ、駒部を効果的に保護することができる。
【００１８】
本発明の楽器収容ケースにおいては、前記本体ケースの下面の前記開口部から離れた端面近傍に、該端面に向けて次第に高くなり、前記第１保持部に至る斜面が設けられていることが好ましい。この態様によれば、ケース内に擦弦楽器をエンドピン側から収容していくときに、同擦弦楽器のエンドピン側が上記斜面により案内されて徐々にケース内方へと移動し、本体部から延出した細いネック側がケース本体内面にほぼ沿って配置されると共に、エンドピン側がネック側よりケース内方側に持ち上げられた状態となり、ケース内に擦弦楽器をバランス良く安定した姿勢で収容保持することができる。
【００１９】
本発明の楽器収容ケースにおいては、前記蓋体を閉めるとき、前記第１押え部材が、前記楽器の本体部のエンドピンと反対側の縁部に背面側から当接して、該本体部を前記第１保持部に向けて押さえ付けるように構成されていることが好ましい。この態様によれば、楽器の本体部のエンドピン近傍が第１保持部で支持され、エンドピンと反対側の縁部が、第１押え部材で第１保持部に向けて押さえ付けられて保持されるようになっているので、楽器の本体部両端がしっかりと支持されて、ケース内において楽器をより安定して保持させることができる。
【００２０】
本発明の楽器収容ケースにおいては、前記本体ケースの前記蓋体と対向する内面の両側に、弓の両側位置を規制するガイド壁部と、弓を前記内面に着脱可能に固定する固定具とからなる弓保持部が設けられ、前記ガイド壁部の少なくとも１つは、内部が空洞になっていて、そこに部品が収納できるように構成されていることが好ましい。この態様によれば、弓保持部により弓を保持することができると共に、ガイド壁部内部の空洞に、弦等の部品を収納することができるので、ケースの使用者の利便性を向上させることができる。
【００２１】
本発明の楽器収容ケースにおいては、前記本体ケースの一方の側面中央部に設けられた、楽器収容ケースを横向きにして把持するための取っ手と、長手方向に離れた、本体ケースの２箇所、又は本体ケースと蓋体との２箇所に両端を固定された、本体ケースの長手方向を上下にして背負うための背負いバンドとを有していることが好ましい。この態様によれば、本体ケースの取っ手を持って楽器収容ケースを横向きにして保持できるだけでなく、背負いバンドを肩に掛けることによって楽器収容ケースを縦向きにして保持することもできる。また、楽器収容ケースを縦向きにして保持した場合には、ケース本体の一端部が上方に向くので、雨等が楽器収容ケース内部に入りにくくすることができる。
【００２２】
本発明の楽器収容ケースにおいては、前記本体ケースの長手方向の端面の角部に、弾性樹脂からなる保護層が形成されていることが好ましい。この態様によれば、楽器収容ケースを落として、衝撃力が加わった場合等に、それを緩和してケースの破損を防止することができる。
【発明の効果】
【００２３】
本発明によれば、蓋体を閉じて止め具を掛け忘れた状態でケースを持ち上げたり、止め具が搬送途中で外れたりしても、両端面が閉塞されていて全体として筒状をなす本体ケースに収容されているので、楽器が開口部から飛び出しにくく、楽器の落下を抑制することができる。また、本体ケースが全体として筒状をなし、本体ケースの上面及び両側面の一部を開口させて蓋体で覆うようにしているので、下ケースと上ケースとを開閉させる従来の楽器収容ケースに比べて、比較的軽量でも剛性を維持しやすい構造となり、軽量化を図ることができる。
【図面の簡単な説明】
【００２４】
【図１】本発明の楽器収容ケースの一実施形態を示す斜視図である、
【図２】同楽器収容ケースの透視斜視図である。
【図３】同楽器収容ケースの開口部を閉じた状態での斜視図である。
【図４】同楽器収容ケースの合わせ目近傍における部分拡大説明図である。
【図５】同楽器収容ケースにおいて、蓋体をほぼ１８０°水平に回動して開口部を完全に開き、楽器を収容した状態での側面説明図である。
【図６】同楽器収容ケースにおいて、ケース内から楽器を取り出す際の状態を示す側面説明図である。
【図７】図６の状態から楽器を更に引き出した状態での側面説明図である。
【図８】弓を取り出す際の状態を示す側面説明図である。
【図９】同楽器収容ケースに収容される楽器の一例を示す斜視図である。
【図１０】同楽器収容ケースの持ち運び時の一例を示す説明図である。
【図１１】本発明の楽器収容ケースの他の実施形態を示す斜視図である。
【図１２】同楽器収容ケース内に楽器を収容した状態での側面説明図である。
【図１３】同楽器収容ケースにおいて、ケース内から楽器を取り出す際の状態を示す側面説明図である。
【発明を実施するための形態】
【００２５】
以下、図１〜１０を参照して、本発明の楽器収容ケースの一実施形態について説明する。
【００２６】
この楽器収容ケースは、一方向に長い楽器を収容するもので、その長手方向を上下にして設置した状態で、楽器を出し入れできるようにしたものである。図１，２に示すように、この楽器収容ケース１０は、開口部２７を有する本体ケース２０と、該本体ケース２０にヒンジ４０を介して回動可能に取付けられ、開口部２７を開閉可能に覆う蓋体３０とを備えている。
【００２７】
また、この楽器収容ケース１０に収容される一方向に長い楽器としては、例えば、バイオリン、チェロ、コントラバス等のいわゆる擦弦楽器や、ギター、琴、琵琶等のいわゆる撥弦楽器が挙げられる。この中でも図９に示すような、本体部２と、該本体部２の長手方向一側から延出されたネック３と、該ネック３の表面側及び本体部２の表面側に亘って所定長さで配設された指板４と、本体部２の表面側のほぼ中央に取付けられた駒部８と、該駒部８に支持されると共に、前記指板４の長手方向に沿って張設された複数の弦４ａと、本体部２のネック３と反対側の端部にエンドピン５を介して取付けられたあご当て６とを有する、擦弦楽器であることが好ましい。また、擦弦楽器である楽器１は、スティック７ａと、該スティック７ａの長手方向に沿って平行に張設された弓毛７ｂとからなる弓７（図２，８参照）を備えている。
【００２８】
まず、図１〜３及び図５を参照して本体ケース２０について説明する。この本体ケース２０は、所定長さで長く伸びる幅広の上下面２１，２２（図５参照）と、この上下面２１，２２の端部に直交して連結された幅狭の両側面２３，２４（図１，３参照）とで囲まれると共に、それらの長手方向両端に両端面２５，２６（図５参照）が連結されていて、全体として筒状をなしている。
【００２９】
また、本体ケース２０の上面２１及び両側面２３，２４の長手方向途中部分から、一方の端面２５の近傍に至る部分が切り欠かれて、開口部２７が形成されている。この開口部２７は、本体ケース２０の上面２１の長さ方向途中部分と一方の端面２５近傍とで幅方向に沿って伸びる幅方向部分２１ａ，２１ｂと、本体ケース２０の両側面２３，２４の高さ方向中間部で長さ方向に伸びる長さ方向部分２３ｃ，２４ｃと、上面２１の幅方向部分２１ａ，２１ｂの両端と両側面２３，２４の長さ方向部分２３ｃ，２４ｃの両端とを結ぶ斜めに傾斜した傾斜部分２３ａ，２４ａ，２３ｂ，２４ｂとで囲まれており、傾斜部分２３ａ，２４ａ，２３ｂ，２４ｂは、対応する長さ方向部分２３ｃ，２４ｃの中央に向けて傾斜している。
【００３０】
このような開口部２７を形成することにより、本体ケース２０の開口部２７をできるだけ広くして、楽器収容ケース１０に対する楽器１の出し入れをスムーズに行うことができると共に、本体ケース２０の強度を維持することができる。
【００３１】
上記のように、この本体ケース２０は、幅広の上下面２１，２２及びこれに直交する幅狭の両側面２３，２４を有する全体としてフラットな形状をなしているので、本体ケース２０の剛性を損なわずに、開口部２７の開口幅をできるだけ広くとって、楽器１の出し入れをしやすくすることができる。なお、全体としてフラットな形状をなしているとは、端面２５又は２６側から見て一方向に細長く伸びて平べったい形状をなすことを意味しており、例えば、両端面２５，２６を、横長の四角形状や、長径及び短径を有する楕円形状にし、それに対応して上下面及び両側面を形成した形状等を意味している。
【００３２】
また、図８に示すように、本体ケース２０の下面２２に対する傾斜部分２３ａ，２４ａの角度θ１は、０〜９０°であることが好ましく、３０〜９０°であることがより好ましい。同じく、本体ケース２０の下面２２に対する傾斜部分２３ｂ，２４ｂの角度θ２は、０〜９０°であることが好ましく、３０〜９０°であることがより好ましい。上記角度θ１，θ２が直角に近いほど開口部２７が大きくなるので、楽器を取出しやすくなるが、本体ケース２０の強度が低下する傾向がある。逆に上記角度θ１，θ２が小さいほど、本体ケース２０の強度は向上するが、楽器を取出しにくくなる。なお、傾斜部分２３ａ，２４ａ，２３ｂ，２４ｂは、円弧状等の曲線をなしていてもよい。
【００３３】
更に、この本体ケース２０は、その長手方向両端面から見たときに、幅広の下面２２の両側角部２２ｄ，２２ｄが、所定角度で面取りされた形状となっている（図３参照）。その結果、本体ケース２０全体を細くスマートな形状として、軽量化及びコンパクト化を図ることができる。一方、本体ケース２０ａの上面２１の両側角部２１ｄ，２１ｄ、及び、後述する蓋体３０の両側角部３１ｄ，３１ｄは、丸みを帯びた円弧状をなしている。
【００３４】
図１に示すように、本体ケース２０の長手方向の端面角部には、ウレタン樹脂や、フッ素ゴム、シリコーンゴム等の弾性樹脂からなる保護層７０が形成されている。ここでは、本体ケース２０の長手方向の両端面２５，２６の外周に、弾性樹脂からなる枠体７１が装着され、この角部から各端面２５，２６の中央に向けて保護層７０が延設されて、端面２５，２６の各角部が保護されるようになっている。このような保護層７０を設けることにより、楽器収容ケース１０を落下したり、何かがぶつかる等したりして、衝撃力が加わった場合に、それを緩和して楽器収容ケース１０の破損を防止することができる。
【００３５】
更に、本体ケース２０の一方の側面２３の長手方向中央部には、楽器収容ケース１０を横向きにして把持するための取っ手４４が取付けられている。それと共に、本体ケース２０の長手方向を上下にして背負うための背負いバンド４５の一端が、本体ケース２０の側面２３の端面２６近傍に取付けられ、他端が、蓋体３０の、上記一端の取付位置に対して斜めに対向する位置に取付けられている（図３参照）。なお、背負いバンド４５は、例えば、下面２２の長手方向両端に斜めに取付けてもよく、特に限定されるものではない。また、図１に示すように、本体ケース２０の一方の端面２５の中央には、引出し式の取っ手２５ａが取付けられており、楽器収容ケース１０を縦向きでも把持可能となっている。
【００３６】
一方、この実施形態における蓋体３０は、本体ケース２０の開口部２７に適合する形状をなしている。この蓋体３０は、本体ケース２０の上面２１を延長した面を形成する正面壁３１と、本体ケース２０の両側面２３，２４を延長した面を形成する両側壁３３，３４とを有しており、両側壁３３，３４は、正面壁３１の幅方向両側縁から、丸みを帯びた両側角部３１ｄ、３１ｄを介して、正面壁３１に対して直交するように折り曲げられた形状をなしている。両側壁３３，３４の長さ方向の両端部は、前記本体ケース２０の各傾斜部分２３ａ，２４ａ，２３ｂ，２４ｂに整合するように、斜めに切欠かれた形状をなしている。
【００３７】
そして、図３に示すように、この蓋体３０は、蓋体３０を回動させて開口部２７を閉じたときに、正面壁３１が前記本体ケース２０の上面２１に整合して段差のない平滑な同一面をなし、同じく両側壁３３，３４が同本体ケース２０の両側面２３，２４に整合して段差のない平滑な同一面をなすようになっている。
【００３８】
また、蓋体３０の一方の端縁部と、本体ケース２０の開口部２７の端面２５から離れた方の縁部（端面２６寄りの縁部）とに、所定間隔を設けて２組のヒンジ４０，４０がそれぞれ固設されており、このヒンジ４０を介して本体ケース２０に対して蓋体３０が上下方向に回動可能に取付けられている。なお、ヒンジ４０は、蓋体３０を下方に回動させて開口部２７を閉じたときに、外部から見えないように、本体ケース２０及び蓋体３０の裏側に配置してもよく、その構造も特に限定されるものではない。
【００３９】
そして、蓋体３０を下方に回動させると、本体ケース２０の開口部２７の各傾斜部分２３ａ，２４ａ，２３ｂ，２４ｂに、蓋体３０の両側壁３３，３４の斜めに切欠かれた両端部が当接し、同じく本体ケース２０の幅方向部分２１ａ，２１ｂ及び長さ方向部分２３ｃ，２４ｃに、蓋体３０の対応する端部がそれぞれ当接して、開口部２７が閉塞されるようになっている。
【００４０】
上記のように本体ケース２０の開口部２７が蓋体３０により閉塞されるのであるが、このときの本体ケース２０の各端部と蓋体３０の各端部とが互いに当接して、合わせ目４１をなしている。
【００４１】
また、上記合わせ目４１には次の部材が装着されていることが好ましい。図４には、本体ケース２０と蓋体３０との合わせ目４１の断面図が示されている。同図に示すように、本体ケース２０の両側面２３，２４の長さ方向部分２３ｃ，２４ｃ、及び、蓋体３０の両側壁３３，３４の対応する端部には、エラストマーやゴム等からなる弾性部材４１ａ，４１ｂが装着されている。弾性部材４１ａの当接面は凹んだ形状をなし、弾性部材４１ｂの当接面は、弾性部材４１ａの凹み部分に適合する凸状をなしている。このような弾性部材４１ａ、４１ｂが、前記合わせ目４１の全周に形成されている。
【００４２】
したがって、蓋体３０を下方に回動させると、弾性部材４１ａの凹み部分に弾性部材４１ｂの凸部分が弾性的に嵌合し、合わせ目４１が密接した状態で、本体ケース２０の開口部２７が閉塞されるようになっている（図３参照）。このように、２つの弾性部材４１ａ，４１ｂにより合わせ目４１が密接した状態で、蓋体３０が閉じられるので、開口部２７の密閉性をより向上させることができ、外部からの水分等の侵入を防止できるようになっている。なお、弾性部材４１ａ，４１ｂの凹凸は逆であってよく、更に弾性部材の形状は図４に示すものに限定されるものでもなく、他の構造を採用することもできる。
【００４３】
また、上記本体ケース２０及び蓋体３０には、蓋体３０を回動させて開口部２７を閉じたときに、蓋体３０を閉じた状態にロックするための止め具４３が設けられている。この実施形態では、楽器収容ケース１０の両側面２３，２４に沿った合わせ目４１，４１の、端面２５寄りの位置に止め具４３，４３がそれぞれ取付けられている（図１，３参照）。
【００４４】
上記本体ケース２０及び蓋体３０は、例えばエポキシ樹脂、不飽和ポリエステル樹脂、ビニルエステル樹脂、ポリイミド樹脂などの熱硬化性樹脂や、ポリエチレン、ポリプロピレン、ポリテトラフルオロエチレン、ポリカーボネート、アクリル樹脂、ナイロン、ＡＢＳ樹脂などの熱可塑性樹脂等で形成することができる。この場合、補強繊維で強化された樹脂で形成することが好ましく、炭素繊維からなる織布で補強された樹脂で形成することがより好ましい。上記のような繊維強化樹脂を用いることにより、軽量で剛性の高い楽器収容ケース１０を提供することができる。
【００４５】
上記構造をなした楽器収容ケース１０には、図８に示すような擦弦楽器である楽器１を収容できるようになっている。このような楽器１には、音響特性を改善したり、湿気から保護したりすることを目的として、ニスやポリウレタン等の塗料が多重に塗られている。このような塗料は、完全に乾くのに少なくとも数ヶ月は必要とされており、それまでの間、塗装面に他の部材が接触しないように収容することが望まれる。
【００４６】
上記問題を解決するため、この実施形態の楽器収容ケース１０においては、次のような内部構造を採用している。以下、この楽器収容ケース１０の内部構造について説明する。
【００４７】
図２及び図５〜８に示すように、本体ケース２０の端面２６側の内面であって、幅広の上下面２１，２２の幅方向中央には、楽器１のエンドピン５近傍を支持する第１保持部５０が設けられている。
【００４８】
本体ケース２０の下面２２における端面２６に近接した部分には、該端面２６に向けて次第に高くなり、第１保持部５０の下方部分５０ａに至る斜面５０ｂが設けられている。また、第１保持部５０の上面２１側の端部から、リブ状の係合部５０ｃが突設されており、楽器１のエンドピン５の裏側に係合する部分となっている（図５参照）。
【００４９】
図２及び図５に示すように、本体ケース２０の蓋体３０と対向する内面と、蓋体３０の内面とに、楽器１のネック３を挟持する第２保持部５２が設けられている。この第２保持部５２は、蓋体３０の内面に取付けられた、楽器１のネック背面側を押える第１押え部材５３と、本体ケース２０の内面に取付けられ、楽器１のネック表側の指板４が当接する第２押え部材５４とからなり、指板４が本体ケース２０の内面に対してほぼ平行に支持されるように構成されている。
【００５０】
図１に示すように、前記第１押え部材５３は、その基部が蓋体３０の両側壁３３，３４に固定されていると共に、ケース内方に向けて所定高さで突出し、その突出端部にネック形状に対応した保持凹部５３ａが形成され、同保持凹部５３ａの両側は、円弧状に丸みを帯びた肩部５３ｂ，５３ｂをなしている。この第１押え部材５３は、蓋体３０を閉めるときに、楽器１の本体部２のエンドピン５と反対側の縁部に背面側から当接して、該本体部２を第１保持部５０に向けて押さえ付けるようにするものである。
【００５１】
一方、第２押え部材５４は、図２に示すように、本体ケース２０の下面２２の、前記蓋体３０の第１押え部材５３と対応する位置に設けられている。第２押え部材５４は、下面２２の幅方向中央に配置されており、前記第１保持部５０と同一幅の板状をなして長さ方向に伸びている。また、第２押え部材５４の端面２６側は、端面２６に向けて次第に低くなるテーパ状をなしており、それによって、本体ケース２０の下面２２の、第２押え部材５４と第１保持部５０との間に、凹部５６が形成されている。この凹部５６により、ケースに擦弦楽器を出し入れするとき、或いは、ケース内に擦弦楽器を収容保持したときに、その駒部８がケース内面に接触しないようになっている（図２，５参照）。
【００５２】
更に、第２押え部材５４上面の凹部５６側の両側縁部には、一対のネック保持部５５，５５が突設されている（図２参照）。これら一対のネック保持部５５，５５が、ケース収容時における楽器１のネック３の両側部を保持して、ネック３の横ずれ等を防止できるようになっている。なお、各ネック保持部５５の内面はテーパ状をなし、一対のネック保持部５５，５５内にネック３を受け入れやすくなっている。
【００５３】
また、図２に示すように、本体ケース２０の下面２２内面の両側部には、楽器１の付属品である弓７の両側位置を規制するガイド壁部６０が取付けられており、このガイド壁部６０の内側が弓７を収容する収容部４８をなしている。各ガイド壁部６０は、内部が空洞６１となった角柱状をなしており、前記第１保持部５０から第２保持部５２に至るまで伸びている。各ガイド壁部６０の第１保持部５０側の端部と、第１保持部５０との間には、弓支持部６２，６２が配置されている。
【００５４】
また、板状の第２押え部材５４の、本体ケース２０の端面２５近傍の両側には、ケース内方側に向けて開口した凹部を有する弓支持部６３，６３が取付けられている。これらの弓支持部６３，６３よりもケース奥方（端面２６側）には、弓７をケース内に着脱可能に固定するための固定具４９が取付けられている。図２に示すように、この固定具４９は、本体ケース２０の下面２２に固設された板状の基部４９ａと、該基部４９ａに対して回転可能に取付けられた板状の回転引掛部４９ｂとからなる。そして、常時は基部４９ａに対して回転引掛部４９ｂを同じ向きに回転させておき、収容部４８に収容された弓７を保持する際には、弓７のスティック７ａと弓毛７ｂとの間に回転引掛部４９ｂを挿入した後、同回転引掛部４９ｂを基部４９ａに対して９０°回転させることにより、弓７を保持固定できるようになっている（図２参照）。この固定具４９及び上記ガイド壁部６０により、本発明における弓保持部が構成されている。
【００５５】
そして、楽器１は、その底部が第１保持部５０に支持されると共に、ネック３が第１押え部材５３及び第２押え部材５４からなる第２保持部５２により挟持され、楽器１の塗装面が楽器収容ケース１０の内面に接触する面積が、塗装面全体の好ましくは１０％以下、より好ましくは３％以下となるように、楽器収容ケース１０内に楽器１が収容保持されるようになっている（図５参照）。また、各保持部５０，５２は、発泡ポリウレタン等の柔軟でクッション性を有する材料で形成されている。
【００５６】
次に、上記構造からなる本発明の楽器収容ケース１０の使用方法について説明する。
【００５７】
楽器１を楽器収容ケース１０内に収容する際には、蓋体３０を上方に回動させて、開口部２７を開く（図１参照）。
【００５８】
そして、図２に示すように、弓保持部内に弓７を挿入して、その下端部を弓支持部６２に突き当たるまで挿入すると共に、弓７のスティック７ａの上端部を弓支持部６３の凹部に嵌入し、その後、固定具４９の回転引掛部４９ｂを基部４９ａに対して９０°回転させることにより、弓保持部内に弓７が保持される。このように、弓保持部により弓７を保持することができる共に、弓保持部を構成するガイド壁部６０の空洞６１内に、弓７の予備の弦等の部品を収容することができるので、ケース使用者の利便性を向上させることができる。
【００５９】
その後、本体ケース２０内に楽器１を、その背面を開口部側に向けて、その本体部２側から開口部２７に挿入していく。すると、第１保持部５０の手前に設けた斜面５０ｂにより、楽器１のエンドピン５側が案内されて、徐々にケース内方へと移動していき、第１保持部５０にエンドピン５が当接するまで押し込むと、図５に示すように、斜面５０ｂに沿って楽器１のエンドピン５側が持ち上げられた状態で、エンドピン５近傍が第１保持部５０に支持される。それと共に、楽器１のネック３を、第２押え部材５４上の一対のネック保持部５５，５５内に挿入して、同楽器１の指板４を板状の第２押え部材５４に当接させる。
【００６０】
このように、この実施形態においては、上記のような斜面５０ｂを設けたことにより、本体部２から延出した細いネック３側がケース本体内面にほぼ沿って配置されると共に、エンドピン５側がネック３側よりケース内方側に持ち上げられた状態となり、ケース内に楽器１をバランス良く安定した姿勢で収容保持することができる。また、上記状態では、リブ状の係合部５０ｃが、楽器１のエンドピン５の裏側に係合して、楽器１の浮き上がりが防止されるようになっている（図５参照）。
【００６１】
次いで、蓋体３０を下方に回動すると、第１押え部材５３の保持凹部５３ａ内に、楽器１のネック３が入り込むと共に、同第１押え部材５３の両肩部５３ｂ，５３ｂが、楽器１の本体部２の、エンドピン５と反対側の縁部に背面側から当接して、本体部２が第１保持部５０に向けて押し込まれて、第１押え部材５３及び第２押え部材５４によりネック３が挟持された状態で、本体ケース２０の開口部２７が閉塞されて、ケース内に楽器１が収容保持される（図１参照）。このように、エンドピン５と反対側の縁部が、第１押え部材５３で第１保持部５０に向けて押されて挿入されるようになっているので、ケース１０内に楽器１を容易かつ確実に挿入することができる。
【００６２】
こうして蓋体３０を閉じることにより、本体ケース２０の開口部２７内周に、蓋体３０の外周が、弾性部材４１ａ，４１ｂを介して当接し、開口部２７が閉塞される（図２参照）。このとき、本体ケース２０及び蓋体３０にそれぞれ装着された弾性部材４１ａ，４１ｂ（図４参照）が互いに嵌合し、合わせ目４１がシールされる。
【００６３】
また、この実施形態においては、楽器１の塗装面が楽器収容ケース１０内面に接触する面積が、塗装面全体の１０％以下とされているので、第１保持部５０及び第２保持部５２で楽器１を保持したときに、楽器１の塗装面がケース内面にできるだけ接触しないようにすることができ、塗装面に傷が付いたり、クッション材の付着痕が付いたりする不都合を回避することができる。
【００６４】
更に、前記第２保持部５２は、ネック背面側を押える第１押え部材５３と、ネック３表側の指板４が当接する第２押え部材５４とからなり、該指板４が本体ケース２０の内面に対してほぼ平行に支持されるように構成されているので、第１押え部材５３でネック３の背面部（塗装されていない部分）を押えると共に、第２押え部材５４で指板４（傷や痕が付きにくい材質からなる部分）を押えることにより、塗装面に触らずに保持することができる。また、指板４が本体ケース２０の内面に対してほぼ平行に支持されるようにすることにより、無駄な空間を少なくして、楽器収容ケース１０内に楽器１を効率よく収容できると共に、より安定して保持することができる。
【００６５】
図５に示すように、ケース内に楽器１が収容保持された状態では、楽器１のネック３背面側が第１押え部材５３により押えられ、ネック表側の指板４が第２押え部材５４に当接するので、ネック表側に張設された弦４ａの表側が、第２押え部材５４に弾性的に当接するようになっている。そのため、例えば、ケース外部から衝撃や振動等が作用しても、第２押え部材５４に弾性的に当接した弦４ａの弾性力によって、それらが吸収されるので、楽器１の本体部２等に悪影響を与えることを最大限抑制することができる。
【００６６】
また、この実施形態では、第１保持部５０及び第２保持部５２の間に、楽器１の駒部８をケース内面に接触しないように配置させるための凹部５６が形成されていることにより、ケース内に楽器１を収容保持した状態では、凹部５６内に駒部８が位置することによって、駒部８をケース内面に接触しないように保持することができる（図５参照）。更に、この凹部５６を設けたことにより、楽器収容ケース１０ａから楽器１を出し入れするときにも、駒部８をケース内面に接触しにくくすることができる。このように、凹部５６を設けたことにより、ケース内に楽器１を収容したときや、ケース内に楽器１を出し入れするときに、駒部８がケース内部に強く接触することを防止して、駒部８を効果的に保護することができる。
【００６７】
以上のように、蓋体３０を下方に回動させて、開口部２７を閉じた後、止め具４３，４３により蓋体３０を閉じた状態にロックする。その結果、本体ケース２０に対して蓋体３０が開かないように保持されるので、取っ手４４を把持して、楽器収容ケース１０を横向きにした状態で持ち運ぶことができる。或いは、図１０に示すように、背負いバンド４５をたすき掛けのように肩に引き掛けて、楽器収容ケース１０の長手方向を上下にして背負った状態で持ち運んだりすることができる。
【００６８】
このように、この楽器収容ケース１０では、本体ケース２０の取っ手４４を持って、楽器収容ケース１０を横向きにして保持できるだけでなく、背負いバンド４５を肩に掛けることによって、楽器収容ケース１０を縦向きにして保持することもでき、２つの持ち運び方法を適宜用いることができるので、使用者の利便性を向上させることができる。また、楽器収容ケース１０を縦向きにして保持した場合には、蓋体３０の一方の端面２５が上方に向くので、雨等が楽器収容ケース内部に入りにくくすることができる。
【００６９】
そして、楽器収容ケース１０から楽器１を取り出す際には、本体ケース２０を所定箇所に配置する。次いで、前記止め具４３のロックを解除し、蓋体３０を上方に回動させて縦方向に開く。その後、楽器１のネック３を把持し、楽器１を斜め上方に持ち上げるようにして、開口部２７から楽器１を引き出すことにより、楽器１をケース内から取り出すことができる（図６，７参照）。そして、固定具４９の回転引掛部４９ｂを基部４９ａに対して回動することにより、弓７に対するロックを解除して、弓支持部６３からスティック７ａを抜き出し、開口部２７から弓７を取り出すことができる（図８参照）。
【００７０】
そして、この楽器収容ケース１０においては、蓋体３０を閉じて止め具４３を掛け忘れた状態で持ち上げたり、止め具４３が搬送途中で外れたりしても、両端面が閉塞されていて全体として筒状をなす本体ケース２０に収容されているので、楽器１が開口部２７から飛び出しにくく、楽器１の落下を抑制することができる。また、本体ケース２０が全体として筒状をなし、本体ケース２０の上面２１及び両側面２３，２４の一部を開口させて、その開口部２７を蓋体３０で覆うようにしているので、下ケースと上ケースとを開閉させる従来の楽器収容ケースに比べて、比較的軽量でも剛性を維持しやすい構造となり、軽量化を図ることができる。
【００７１】
図１１〜１３には、本発明の楽器収容ケースの他の実施形態が示されている。なお、前記実施形態と実質的に同一部分には同符号を付してその説明を省略する。
【００７２】
この実施形態の楽器収容ケース１０ａは、楽器１のネック表側に張設された弦４ａが、開口部２７側に配置されるように構成されている点で、弦４ａが本体ケース内面側に配置される前記実施形態と異なっている。
【００７３】
図１１に示すように、この実施形態における楽器１のネック３を挟持する第２保持部５７は、蓋体３０の内面に取付けられ、楽器１のネック表側を押える第１押え部材５８と、本体ケース２０の内面に取付けられ、楽器１のネック背面側を支持する第２押え部材５９とからなり、楽器１のネック表側の弦４ａが、本体ケース２０の開口部２７側に配置されるように構成されている。
【００７４】
前記第１押え部材５８は板状をなしており、蓋体３０の正面壁３１の内面から、ケース内方に向けて所定高さで突出している。一方、前記第２押え部材５９は、本体ケース２０の下面２２内面の第１押え部材５８に整合する位置から、蓋体３０で開口部２７を閉じたときに、ケース内方に向けて第１押え部材５８に突き当たる高さで突出した幅広の柱状をなしている。この第２押え部材５９の突出端面には、楽器１のネック形状に対応した保持凹部５９ａが形成されている。なお、第１保持部５０は、前記実施形態のものよりも、ケース内方側に向けて高く突出した形状をなしている。
【００７５】
そして、蓋体３０を上方に回動した状態で、楽器１のネック側を開口部側に向けて、本体部２を開口部２７に挿入し、エンドピン５を第１保持部５０に支持させると共に、ネック３を第２押え部材５９の保持凹部５９ａ内に嵌入する（図１２，１３参照）。その状態で、蓋体３０を下方に回動して開口部２７を閉じると、前記第２押え部材５９に第１押え部材５８に当接して、両者によりネック３が挟持されると共に、第１保持部５０によりエンドピン５近傍が支持されて、ケース内に楽器１を収容することができる。一方、ケース内から楽器１を取り出す際には、蓋体３０を上方に回動して開口部２７を開き、ネック３を把持して、開口部２７から楽器１を引き出すことにより（図１３参照）、楽器１をケース内から取り出すことができる。
【００７６】
この態様によれば、第２押え部材５９でネック背面側が押えられると共に、第１押え部材５８でネック正面側が押えられて、楽器１のネック表側の弦４ａを、本体ケース２０の開口部２７側に配置されるように構成されている。その結果、ケースに対する弦４ａの位置を確認しやすくなるので、弦４ａがケース内面等に接触しないように注意しながら、楽器１をケース内に出し入れすることができる。
【符号の説明】
【００７７】
１  楽器
２  本体部
３  ネック
４  指板
４ａ  弦
５  エンドピン
７  弓
７ａ  スティック
７ｂ  弓毛
８  駒部
１０，１０ａ  楽器収容ケース
２０，２０ａ  本体ケース
２１  上面
２１ａ，２１ｂ  幅方向部分
２１ｄ，２１ｄ  両側角部
２２  下面
２２ｄ，２２ｄ       両側角部
２３  （一方の）側面
２３ａ，２３ｂ  傾斜部分
２３ｃ  長さ方向部分
２４  （他方の）側面
２４ａ，２４ｂ  傾斜部分
２４ｃ  長さ方向部分
２５  （一方の）端面
２５ａ  取っ手
２６  （他方の）端面
２７  開口部
３０  蓋体
３１  正面壁
３１ｄ，３１ｄ  両側角部
３３  （一方の）側壁
３４  （他方の）側壁
４０  ヒンジ
４１  合わせ目
４１ａ，４１ｂ  弾性部材
４３  止め具
４４  取っ手
４５  背負いバンド
４８  収容部
４９  固定具
４９ａ  基部
４９ｂ  回転引掛部
５０  第１保持部
５０ａ  下方部分
５０ｂ  斜面
５０ｃ  係合部
５２  第２保持部
５３  第１押え部材
５３ａ  凹部
５３ｂ，５３ｂ  肩部
５４  第２押え部材
５４ａ  基端部
５５，５５  ネック保持部
５６  凹部
５７  第２保持部
５８  第１押え部材
５９  第２押え部材
５９ａ  保持凹部
６０  ガイド壁部
６１  空洞
６２  弓支持部
６３  弓支持部
７０  保護層
７１  枠体
【図１】
2011191527.tif 000003
【図２】
2011191527.tif 000004
【図３】
2011191527.tif 000005
【図４】
2011191527.tif 000006
【図５】
2011191527.tif 000007
【図６】
2011191527.tif 000008
【図７】
2011191527.tif 000009
【図８】
2011191527.tif 000010
【図９】
2011191527.tif 000011
【図１０】
2011191527.tif 000012
【図１１】
2011191527.tif 000013
【図１２】
2011191527.tif 000014
【図１３】
2011191527.tif 000015